(57)【要約】【課題】タリー表示用の光源から発せられた光による画像品質の低下を防止した反射型液晶表示装置を提供する。【解決手段】イルミネーター１２内部に配置されたタリー表示用の発光ダイオード４の光出射面上に、偏光ビームスプリッター１０と互いの透過軸が平行となるようにタリー用偏光板１３を配置する。発光ダイオード４から発せられた光は、タリー用偏光板１３を透過することで直線偏光Ｐ３のみとなり、偏光ビームスプリッター１０で反射されることなく、偏光ビームスプリッター１０を透過する。【選択図】図１
2014071345.tif 000002
【特許請求の範囲】
【請求項１】
透明電極を有する第一電極基板と反射電極を有する第二電極基板とを所定の間隔で周辺接着剤を介して貼り合わせることで形成された空間に液晶を封入してなる液晶パネルと、
当該液晶パネルに光を供給する光源と、
当該光源から出射された光のうち偏向方向が互いに直交する二つの直線偏光のうち一方の直線偏光のみを透過させる偏光板と、
当該偏光板を透過した前記一方の直線偏光を前記液晶パネルに向けて反射すると共に、前記一方の直線偏光とは偏向方向が直交する他方の直線偏光を透過させるように配置された偏光ビームスプリッターと、
前記液晶パネルの周辺に前記偏光ビームスプリッターに光出射面を向けて配置されたタリー表示用の光源とを備え、
前記偏光ビームスプリッターを通して前記液晶パネルの画像と前記タリー表示用の光源から出射された光を観察するように構成された反射型液晶表示装置において、
前記タリー表示用の光源の光出射面上に、前記偏光ビームスプリッターと互いの透過軸が平行となるように偏光板を配置したことを特徴とする反射型液晶表示装置。
【発明の詳細な説明】
【技術分野】
【０００１】
本発明は、反射型液晶表示装置に関するものである。
【背景技術】
【０００２】
反射型液晶表示装置は、低消費電力で駆動できること等々の利点があることから、あらゆる表示機器に使用されている。その中でも近年では電子ビューファインダーなどに幅広く使用されている。電子ビューファインダーはデジタル式のビデオカメラなどに搭載され、ビデオカメラの撮影画像を表示するものであるが、それ以外に、ビデオカメラが撮影状態であることを示す機能として、タリー表示と呼ばれる表示を行う機能が搭載される場合がある。このタリー表示は、例えば液晶パネル周辺に発光ダイオード等の発光素子を配置し、ビデオカメラが撮影状態にある時には点灯、非撮影状態にある時には消灯させることで撮影状態を使用者に知らせる。尚、タリー表示には一般的に赤色の光源が用いられる。
【０００３】
図２は従来技術による反射型液晶表示装置の側面断面図である。液晶パネル１は、第一電極基板２と第二電極基板３とが周辺接着剤１４を介して接着されることで形成された空間に液晶１５が封入されてなる反射型液晶パネルで、第一電極基板２には透明電極（対向電極）と配向膜が形成され、第二電極基板３には反射電極（画素電極）と配向膜が形成されている。液晶パネル１は、回路基板６上に搭載され、第一電極基板２と回路基板６とが導電接着剤を介して、また、第二電極基板３と回路基板６とがボンディングワイヤーを介して電気的に接続されている。
【０００４】
回路基板６上には、光源７と拡散板８と偏光板９と偏光ビームスプリッター（反射型偏光板）１０とを筐体１１に一体的に組み付けてなるイルミネーター１２が、液晶パネル１を覆うように搭載されている。偏光ビームスプリッター１０は、偏向方向が互いに直交する二つの直線偏光Ｐ１、Ｐ２のうち何れか一方（ここでは直線偏光Ｐ２）のみを透過させ、他方（ここでは直線偏光Ｐ１）を反射するもので、その透過軸が偏光板９の透過軸とクロスニコル（直交する関係）となるように配置されている。
【０００５】
さらに液晶パネル１上には、タリー表示用の発光ダイオード４を搭載し、且つ液晶パネル１の表示領域に対応する開口部を備えた枠状のタリー用基板５が配置されている。発光ダイオード４は、液晶パネル１の画像表示面と概ね直交する方向へ光を出射するように、光出射面を偏光ビームスプリッター１０に向けて配置されている。
【０００６】
以上の反射型液晶表示装置において、光源７より発せられた光は、拡散板８を通り面内の均一な光に分散された後、偏光板９を通ることで直線偏光Ｐ１のみとなり、偏光ビームスプリッター１０で反射されて液晶パネル１に入射する。液晶パネル１に入射した直線偏光Ｐ１は、第一電極基板２と液晶１５を透過し、第二電極基板３上の反射電極に垂直に入射して逆方向へと反射される。逆方向へ反射された直線偏光Ｐ１は、液晶１５と第一電極基板２を再度透過し、その過程で直線偏光Ｐ１の一部が液晶１５の光変調により直線偏光Ｐ２へと変換され、偏光ビームスプリッター１０を透過して観察者の目に画像として表示される。
【０００７】
また、タリー表示に関しては、発光ダイオード４より発せられた光のうち一部が直線偏光Ｐ３として偏光ビームスプリッター１０を透過し、観察者の目で確認される。尚、直線偏光Ｐ３は、直線偏光Ｐ２と同じ偏光方向を有する直線偏光である。（例えば、特許文献１参照）
【先行技術文献】
【特許文献】
【０００８】
【特許文献１】特許第４３０１６７８号
【発明の概要】
【発明が解決しようとする課題】
【０００９】
図３は従来技術による課題を示す反射型液晶表示装置の側面断面図である。従来技術では、偏光ビームスプリッター１０越しにタリー表示用の発光ダイオード４を見た場合、発光ダイオード４から発せられた光のうち直線偏光Ｐ３のみが偏光ビームスプリッター１０を通して観察されるが、発光ダイオード４から発せられた光のうち偏光ビームスプリッター１０の透過軸と直交する偏向方向を有する直線偏光Ｐ４は偏光ビームスプリッター１０で反射されることとなる。反射された直線偏光Ｐ４はイルミネーター１２内部に拡散し、その一部が液晶パネル１にも照射されて直線偏光Ｐ３へと変換され、その直線偏光Ｐ３が液晶パネル１の画像に混入することで、画像の色合いを変化させたり、コントラストを低下させるなど、画像品質を低下させることとなる。
【００１０】
本発明は以上の問題点に鑑みてなされたもので、タリー表示用の光源から発せられた光による画像品質の低下を防止した反射型液晶表示装置を提供することを目的とする。
【課題を解決するための手段】
【００１１】
透明電極を有する第一電極基板と反射電極を有する第二電極基板とを所定の間隔で周辺接着剤を介して貼り合わせることで形成された空間に液晶を封入してなる液晶パネルと、当該液晶パネルに光を供給する光源と、当該光源から出射された光のうち偏向方向が互いに直交する二つの直線偏光のうち一方の直線偏光のみを透過させる偏光板と、当該偏光板を透過した前記一方の直線偏光を前記液晶パネルに向けて反射すると共に、前記一方の直線偏光とは偏向方向が直交する他方の直線偏光を透過させるように配置された偏光ビームスプリッターと、前記液晶パネルの周辺に前記偏光ビームスプリッターに光出射面を向けて配置されたタリー表示用の光源とを備え、前記偏光ビームスプリッターを通して前記液晶パネルの画像と前記タリー表示用の光源から出射された光を観察するように構成された反射型液晶表示装置において、前記タリー表示用の光源の光出射面上に、前記偏光ビームスプリッターと互いの透過軸が平行となるように偏光板を配置した反射型液晶表示装置とする。
【発明の効果】
【００１２】
本発明によると、タリー表示用の光源の光出射面上に偏光ビームスプリッターと互いの透過軸がパラレルとなるように偏光板を配置することで、タリー表示用の光源から発せられた光が偏光ビームスプリッターを透過する光の成分のみとされるため、タリー表示用の光源から発せられた光のイルミネーター内部での散乱を防止することができる。これにより、液晶パネルの画像にタリー表示用の光源から発せられた光が混入して、色合いを変化させたり、コントラストを低下させるなど、画像品質を低下させることが無くなる。
【図面の簡単な説明】
【００１３】
【図１】本発明による反射型液晶表示装置の一実施例の側面断面図
【図２】従来技術による反射型液晶表示装置の側面断面図
【図３】従来技術による課題を示す反射型液晶表示装置の側面断面図
【発明を実施するための形態】
【００１４】
図１は本発明による反射型液晶表示装置の一実施例の側面断面図である。液晶パネル１は、第一電極基板２と第二電極基板３とが周辺接着剤１４を介して接着されることで形成された空間に液晶１５が封入されてなる反射型液晶パネルで、第一電極基板２には透明電極（対向電極）と配向膜が形成され、第二電極基板３には反射電極（画素電極）と配向膜が形成されている。液晶パネル１は、回路基板６上に搭載され、第一電極基板２と回路基板６とが導電接着剤を介して、また、第二電極基板３と回路基板６とがボンディングワイヤーを介して電気的に接続されている。
【００１５】
回路基板６上には、光源７と拡散板８と偏光板９と偏光ビームスプリッター（反射型偏光板）１０とを筐体１１に一体的に組み付けてなるイルミネーター１２が、液晶パネル１を覆うように搭載されている。偏光ビームスプリッター１０は、偏向方向が互いに直交する二つの直線偏光Ｐ１、Ｐ２のうち何れか一方（ここでは直線偏光Ｐ２）のみを透過させ、他方（ここでは直線偏光Ｐ１）を反射するもので、その透過軸が偏光板９の透過軸とクロスニコル（直交する関係）となるように配置されている。
【００１６】
さらに液晶パネル１上には、タリー表示用の発光ダイオード４を搭載し、且つ液晶パネル１の表示領域に対応する開口部を備えた枠状のタリー用基板５が配置されている。発光ダイオード４は、液晶パネル１の画像表示面と概ね直交する方向へ光を出射するように、光出射面を偏光ビームスプリッター１０に向けて配置されている。タリー用基板５は例えばＦＰＣなどの回路基板で構成され、その一部は筐体１１の側壁部１１ａに設けられたスリットを介して外部へ延出されており、その延出された部位にコネクタが設置され、コネクタを介して外部との電気的接続がなされる。
【００１７】
本実施例においては、以上の構成に加え、発光ダイオード４の光出射面上に、タリー用偏光板１３がその透過軸が偏光ビームスプリッター１０の透過軸とパラレル（平行の関係）となるように配置されている。
【００１８】
この構成において、発光ダイオード４から発せられた光に含まれる直線偏光Ｐ３はタリー用偏光板１３を透過し、偏光ビームスプリッター１０で反射されることなく、偏光ビームスプリッター１０を透過して、観察者の目に届く。その一方で、直線偏光Ｐ３と偏向方向が直交する直線偏光Ｐ４はタリー用偏光板１３により遮断され、イルミネーター１２内部に拡散することはない。
【００１９】
以上のように本発明では、発光ダイオード４から発せられた光がイルミネーター１２内部に拡散することがなくなるため、従来技術において課題であった発光ダイオード４から発せられた光による、画像の色合いの変化やコントラストの低下などの画像品質の低下を防止することができる。
【００２０】
タリー用偏光板１３には吸収型偏光板と反射型偏光板の何れを用いても構わないが、直線偏光Ｐ４の拡散を効果的に抑える意味では、吸収型偏光板であるのが好ましい。
【００２１】
また、タリー用偏光板１３は発光ダイオード４の光出射面を完全に覆い、さらに発光ダイオード４の光出射面に密着又は近接するように配置されているのが好ましい。
【００２２】
また、タリー表示用の光源は発光ダイオードに限らずその他の発光手段であっても良く、配置する個数についても、１つに限らず複数であっても良い。
【００２３】
また、発光ダイオード４、タリー用基板５、タリー用偏光板１３は、液晶パネル１の周辺であって、液晶パネル１の画像表示を妨げない位置であれば、どこに配置されていても良い。
【符号の説明】
【００２４】
１  液晶パネル
２  第一電極基板
３  第二電極基板
４  発光ダイオード
５  タリー用基板
６  回路基板
７  光源
８  拡散板
９  偏光板
１０  偏光ビームスプリッター
１１  筐体
１１ａ  側壁部
１２  イルミネーター
１３  タリー用偏光板
１４  周辺接着剤
１５  液晶
【図１】
2014071345.tif 000003
【図２】
2014071345.tif 000004
【図３】
2014071345.tif 000005